(57)【要約】  【課題】美観に優れ、安定した状態で自立可能であるとともに、種々の大きさのパネルを着脱可能に保持することのできる自立形掲示台を提供すること。  【解決手段】本発明にかかる自立形掲示台は、パネルを着脱自在に保持する手段を備えると共に自立し得る構造体を備えた自立形掲示台において、開閉自在な注水口から水を注入した可撓性の重し袋を、前記構造体の底部近傍に着脱自在に支持し得る支持手段を備えるという手段を講じた。さらに、前記構造体は、前面にパネルを上下から挟んで支持する挟持手段を備えた前面体と、前記前面体を後ろから支える支持棒とから構成されているとともに、前記前面体の底部近傍と前記支持棒の下端近傍とに掛け渡されて両者を連結して前記重し袋を支持し得る連結手段を備えている。【選択図】      図１
2006122398.tif 000002
【特許請求の範囲】
【請求項１】
パネルを着脱自在に保持する手段を備えると共に自立し得る構造体を備えた自立形掲示台において、
開閉自在な注水口から水を注入した可撓性の重し袋を、前記構造体の底面中央近傍に着脱自在に支持し得る支持手段を備えたことを特徴とする自立形掲示台。
【請求項２】
前記構造体は、前面にパネルを上下から挟んで支持する挟持手段を備えた前面体と、前記前面体を後ろから支える支持棒とから構成されているとともに、前記前面体の底部近傍と前記支持棒の下端近傍とに掛け渡されて両者を連結して前記重し袋を支持し得る連結手段を備えていることを特徴とする請求項１に記載の自立形掲示台。
【請求項３】
前記連結手段は、
前記前面体の底部近傍と前記支持棒の下端近傍との間に掛け渡されて、前記前面体の接地部と前記支持棒の接地部とを所定の間隔に連結保持する保持状態と、
前記前面体の底部近傍と前記支持棒の下端近傍の少なくとも何れか一方との掛合が解除されて、前記前面体と前記支持棒とを折り畳んだ状態にする折り畳み状態と、
にし得る構造を備えていることを特徴とする請求項２に記載の自立形掲示台。
【請求項４】
前記挟持手段は、上下方向の間隔を調節可能に構成されていることを特徴とする請求項２または３の何れか１項に記載の自立形掲示台。
【請求項５】
前記重し袋は、互いに連結された２つの貯水部から構成されていることを特徴とする請求項１乃至４の何れか１項に記載の自立形掲示台。
【請求項６】
前記２つの貯水部は、互いに連通していることを特徴とする請求項５に記載の自立形掲示台。
【発明の詳細な説明】
【技術分野】
【０００１】
本発明は、表示パネルを掲示した状態で自立し得る構造体を備えた自立形掲示台に関するものである。
【背景技術】
【０００２】
従来より、表示パネルを掲示した状態で自立し得る構造体を備えた自立形掲示台としては、油絵等の描画のためのキャンバス等のパネルを支持するために用いられるイーゼル等がある。イーゼルを構成する前記構造体は、前面にキャンバス等のパネルを支持する支持手段を備えた前面体と、前記前面体を後ろから支える支持棒とから構成されているとともに、前記前面体の底部近傍と前記支持棒の下端近傍とに掛け渡される連結手段を備えている。そして、前記連結手段を前記前面体の底部近傍と前記支持棒の下端近傍との間に掛け渡すと、前記前面体の接地部と前記支持棒の接地部とが所定の間隔に保持されて、安定して自立する。一方、前記連結体と、前記前面体の底部近傍と前記支持棒の下端近傍の少なくとも何れか一方との掛合を解除すると、前記前面体と前記支持棒とを折り畳んだ状態にできる。前記連結手段はフック状のものが多い。
【０００３】
以上のような自立形掲示台は、屋外に設置して使用する場合等においては、風によって倒れる危険性があるので、重しをセットして安定させることが行われている。例えば、パネルを挟持する挟持手段は備えていないが、工事用バリケードの場合には、水を充填した袋体を重しとして使用することが提案されている。（例えば、特許文献１参照）また、水を充填した硬質樹脂製の袋体を重しとして使用した広告表示体が提案されている。（例えば、特許文献２参照）
【０００４】
【特許文献１】実用新案登録第３０９１５２６号公報
【特許文献２】昭和６３年  実用新案公開公報第２９１８６号公報
【発明の開示】
【発明が解決しようとする課題】
【０００５】
ところが、上述したような従来の構造体では、確かに自立した状態を重しによって安定させることが可能であるが、表示内容は固定されたものであって、着脱して交換することはできなかった。
また、工事用の構造体は、前後に少なくとも２つの重しが必要であり、美観に乏しいのでレストラン等のメニューの表示等に採用することはできなかった。
【０００６】
そこで、本発明は、美観に優れ、安定した状態で自立可能であるとともに、種々の大きさのパネルを着脱可能に保持することのできる自立形掲示台を提供することを目的としてなされたものである。
【課題を解決するための手段】
【０００７】
本発明にかかる自立形掲示台の請求項１では、
パネルを着脱自在に保持する手段を備えると共に自立し得る構造体を備えた自立形掲示台において、
開閉自在な注水口から水を注入した可撓性の重し袋を、前記構造体の底面中央近傍に着脱自在に支持し得る支持手段を備えるという手段を講じた。
請求項２では、
前記構造体は、前面にパネルを上下から挟んで支持する挟持手段を備えた前面体と、前記前面体を後ろから支える支持棒とから構成されているとともに、前記前面体の底部近傍と前記支持棒の下端近傍とに掛け渡されて両者を連結して前記重し袋を支持し得る連結手段を備えている構成とした。
請求項３では、
前記連結手段は、
前記前面体の底部近傍と前記支持棒の下端近傍との間に掛け渡されて、前記前面体の接地部と前記支持棒の接地部とを所定の間隔に連結保持する保持状態と、
前記前面体の底部近傍と前記支持棒の下端近傍の少なくとも何れか一方との掛合が解除されて、前記前面体と前記支持棒とを折り畳んだ状態にする折り畳み状態と、
にし得る構造を備えている構成とした。
請求項４では、
前記挟持手段は、上下方向の間隔を調節可能に構成されている構成とした。
請求項５では、
前記重し袋は、互いに連結された２つの貯水部から構成されている構成とした。
請求項６では、
前記２つの貯水部は、互いに連通している構成とした。
【発明の効果】
【０００８】
請求項１の発明によれば、
パネルを着脱自在に保持する手段を備えると共に自立し得る構造体を備えた自立形掲示台の底面中央近傍に重し袋を支持する支持手段を備え、前記重し袋は水を注入して重しとし、水を抜いて格納・運搬を容易としたので、使用状態では安定し、格納状態ではコンパクトで軽くできる自立形掲示台を提供することができた。
請求項２の発明によれば、前記構造体は、前面にパネルを上下から挟んで支持する挟持手段を備えているので、種々の大きさのパネルを着脱することが容易である。また、前面体と支持棒とを連結する連結手段で前記重し袋を支持し得るように構成したので、簡単な構造で、重し袋を確実に底面近傍の中央部分に保持することができる。
請求項３の発明によれば、連結手段によって保持状態と折り畳み状態とにできるので、使用状態では安定して自立させ、格納・運搬状態ではコンパクトに折り畳むことができる。
請求項４の発明によれば、挟持手段は、上下方向の間隔を調節可能に構成されているので、種々の大きさのパネルを挟持して掲示することができる。
請求項５の発明によれば、前記重し袋は、互いに連結された２つの貯水部から構成されているので、支持手段の両側に跨がって安定する。
請求項６の発明によれば、前記２つの貯水部は、互いに連通しているので、注水するときや水を抜くときは、ひとつの注水口を兼用することができる。
【発明を実施するための最良の形態】
【０００９】
以下に、本発明にかかる自立形掲示台を、その実施の形態を示した図面に基づいて詳細に説明する。
図１、２において、
１は自立形掲示台であり、イーゼル状の構造になっている。
前記自立形掲示台１は前面体２と支持棒３とからなる構造体であり、図示したように自立可能な構造になっている。
前記前面体２は左右２本の縦枠21、22と、上中下３本の横枠23、24、25とが互いに組み立てられた状態でほぼ縦長の枠体を構成している。
前記前面体２の上部前面には、キャンバスやメニュー板等を挟持するための挟持手段４を備えている。この挟持手段４は、前記３本の横枠23、24、25を縦に貫通して上下スライド可能な上部挟持体41と、前記２本の縦枠21、22の孔に差し込まれたピン42、43に載せられた下部挟持体44とから構成されている。
前記ピンはどの孔に差し込んでもよい。
【００１０】
前記上部挟持体41は上下にスライド可能であり、下部挟持体44の高さはピン42、43を差し込む孔を変えることで、上下方向の間隔を調節可能に構成されている。
【００１１】
前記上部挟持体41の上端の前面には下向きのカギ状に形成された係止部材411が固定され、前記下部挟持体44には上向きのカギ状の係止凸条441が形成されている。
前記係止部材411によって、２点鎖線で示したパネルＰの上縁を係止し、前記係止凸条441によって、前記パネルＰの下縁を係止することによって、前記パネルＰを前面に挟持するように構成されている。
【００１２】
前記支持棒３は、前記前面体２の背面中央部に傾斜角度を調節可能に取り付けられており、その下端には滑り止めが形成されている。
前記前面体２の底部近傍と前記支持棒３の下端近傍とには、連結手段５が掛け渡し可能に設けられている。この連結手段５は、例えば、前記支持棒３の下端近傍に一端が掛合された棒状のものであり、他端のフックは前記前面体２の底部近傍の穴に掛合もしくは離脱可能に形成されている。
前記連結手段５で、前記前面体２の底部近傍と前記支持棒３の下端近傍とを連結することにより、この自立形掲示台１は、３点で床面もしくは地面に接地することになり、安定して自立することができるのである。
なお、前記前面体２の下端と、前記支持棒３の下端にはゴム製等の滑り止めを形成するとよい。また、前記前面体２の下端の下端には図３に示したような高さ調節機構７を設けるとよい。
【００１３】
図４において、
６は可撓性の重し袋であり、互いに連結された２つの貯水部６１、６２から構成されている。前記２つの貯水部６１、６２は、互いに連通しており、連通部には孔６３が形成されている。前記貯水部６１の隅に注水孔６４が設けられ、この注水孔６４はキャップで水密状態に封止することができる。
【００１４】
図１、２に示したように、自立形掲示台１の前面体２と支持棒３とに掛け渡された連結手段５に、水を注入して封止した重し袋６を乗せて使用する。
このとき、重し袋６の中央部分には孔６３が形成されているので、この中央部分を前記支持棒３に合わせて、両側の貯水部６１、６２を前記支持棒３の両側に跨がらせると、貯水部の重みで孔６３が広がり、貯水部６１、６２が床面もしくは地面等の面に広く接地して、この自立形掲示台１の底面中央近傍に保持されるので、この自立形掲示台１を安定させる。
【００１５】
前記重し袋６は可撓性の樹脂で作ることにより、水を抜いた後は、折り畳むことができ、軽く、小さく収納もしくは運搬することができる。そして、重しとして使用するときには、注水するだけで十分な重さの重しとすることができる。例えば、４リットルの水を注入すれば４キログラムの重しとなるのである。
【００１６】
図５においては、図１の構造とは異なる構造で、挟持手段の上下方向の間隔を調節可能に構成した例を示している。
図５においては、上部挟持体７１と下部挟持体７２をそれぞれ、縦枠に対して上下方向にスライド可能に構成するとともに、任意の高さで締め付けて固定し得る緊締手段７３、７４を備えている。
【実施例１】
【００１７】
実施例においては、重し袋は、材質は、厚さが0.3mm〜0.5mmのＰＥ（ポリエチレンテレフタレート樹脂）とし、色は目立たない黒色とした。
【産業上の利用可能性】
【００１８】
本発明の自立形掲示台は、レストラン等のメニューや種々の掲示パネルを掲示するために用いることができるが、本来の構造であるキャンバスの保持に用いてもよい。
【図面の簡単な説明】
【００１９】
【図１】本発明にかかる自立形掲示台の実施の形態の斜視図である。
【図２】前記自立形掲示台を斜め後方から見た下部の拡大説明図である。
【図３】前記自立形掲示台の前面体２の下端の高さ調節機構の説明図である。
【図４】前記自立形掲示台に用いる重し袋の平面図である。
【図５】本発明にかかる自立形掲示台の別の形態の斜視図である。
【符号の説明】
【００２０】
１    自立形掲示台
２    前面体
３    支持棒
４    挟持手段
５    連結手段
６    重し袋
【図１】
2006122398.tif 000003
【図２】
2006122398.tif 000004
【図３】
2006122398.tif 000005
【図４】
2006122398.tif 000006
【図５】
2006122398.tif 000007